(57)【要約】【課題】交換可能な撹拌装置を有する自己撹拌・加熱・調理組立体を提供する。【解決手段】底面（１３０）および底面（１３０）から上へ延在する側面によって輪郭が定められる容器（１１０）と、容器（１１０）の底面（１３０）に沿って回転するように設けられた、非矩形断面を有するアームを有する撹拌装置と、撹拌装置を回転させるように構成されたモータとを含む自己撹拌調理組立体（１００）。自己撹拌調理組立体（１００）は、基部（１０５）に設けられているモータを制御するためのモータ制御部を有する基部（１０５）を有してもよい。自己撹拌調理組立体はまた、基部（１０５）に結合または容器（１１０）内に設けられた加熱素子（２００）を有してもよい。すなわち、加熱素子（２００）を基部の上または撹拌装置内に設けてもよい。
2008534215.tif 000002
【特許請求の範囲】
【請求項１】
底面および底面から上へ延在する側面によって輪郭が定められる容器と、
前記容器に熱を提供するための加熱素子と、
前記容器の前記底面に沿って回転するように設けられた、非矩形断面を有するアームを有する撹拌装置と、
前記撹拌装置を回転させるように構成された器具と
を含む自己撹拌調理組立体。
【請求項２】
前記器具を制御するための制御部を有する基部をさらに含み、前記器具は前記基部に設けられている、請求項１に記載の自己撹拌調理組立体。
【請求項３】
前記撹拌装置が、前記アームに接続された縦部材を含む、請求項１に記載の自己撹拌調理組立体。
【請求項４】
前記縦部材が傾斜形状を有する、請求項３に記載の自己撹拌調理組立体。
【請求項５】
前記撹拌装置が、前記縦部材に接続された、角度をなした部材を含む、請求項３に記載の自己撹拌調理組立体。
【請求項６】
前記縦部材が第１の軸を画定し、かつ、前記角度をなした部材が、前記第１の軸から約２５〜１５５度の角度をなすように設けられた第２の軸を画定する、請求項５に記載の自己撹拌調理組立体。
【請求項７】
前記撹拌装置が、ハブと、前記ハブから延在し、かつ第１および第２の突起物を含む前記アームとを含む、請求項１に記載の自己撹拌調理組立体。
【請求項８】
前記第１の突起物が、前記ハブから第１の距離離間し、かつ、前記第２の突起物が、前記ハブから第２の距離離間し、前記第１の距離は前記第２の距離とは異なる、請求項７に記載の自己撹拌調理組立体。
【請求項９】
前記撹拌装置が、左内部パドルおよび右内部パドルを含む、請求項１に記載の自己撹拌調理組立体。
【請求項１０】
前記撹拌装置が加熱素子を含む、請求項１に記載の自己撹拌調理組立体。
【請求項１１】
前記器具が、前記撹拌装置を時計回りおよび反時計回り方向に回転させるように構成されている、請求項１に記載の自己撹拌調理組立体。
【請求項１２】
前記器具が、前記撹拌装置を第１の期間回転させ、かつ前記撹拌装置の回転を第２の期間停止させるように構成されている、請求項１に記載の自己撹拌調理組立体。
【請求項１３】
前記器具が、前記撹拌装置を時計回り方向に第１の期間回転させ、前記撹拌装置の回転を第２の期間停止させ、かつ前記撹拌装置を反時計回り方向に第３の期間回転させるように構成されている、請求項１に記載の自己撹拌調理組立体。
【請求項１４】
前記器具が、モータおよび磁石からなる群から選択される、請求項１に記載の自己撹拌調理組立体。
【請求項１５】
基部と、
底面を有し、かつ前記基部の上に位置するように構成されている容器であって、流体を保持するように構成されている容器と、
前記底面の近傍に設けられたボウルと、
前記ボウル内で回転するように設けられたパドルと
を含む自己撹拌調理組立体。
【請求項１６】
前記流体に熱を提供して、前記ボウルを加熱する蒸気をもたらすための加熱素子と、
前記容器の前記底面の上に設けられて、前記蒸気を前記容器内に保持するように構成されたカバーと
をさらに含む、請求項１５に記載の自己撹拌調理組立体。
【請求項１７】
前記加熱素子が前記基部に結合されている、請求項１６に記載の自己撹拌調理組立体。
【請求項１８】
前記パドルを時計回りおよび反時計回り方向に回転させるように構成されたモータをさらに含む、請求項１５に記載の自己撹拌調理組立体。
【請求項１９】
前記モータが、前記パドルを第１の期間回転させ、かつ前記パドルの回転を第２の期間停止するように構成されている、請求項１８に記載の自己撹拌調理組立体。
【請求項２０】
前記モータが、前記パドルを時計回り方向に第１の期間回転させ、前記パドルの回転を第２の期間停止させ、かつ前記パドルを反時計回り方向に第３の期間回転させるように構成されている、請求項１８に記載の自己撹拌調理組立体。
【請求項２１】
前記基部に置かれ、かつ前記パドルを回転させるように構成された１つ以上の磁石をさらに含む、請求項１５に記載の自己撹拌調理組立体。
【請求項２２】
底面および前記底面から上へ延在する側面によって輪郭が定められる容器と、
前記容器の前記底面に沿って回転するように設けられたバーを有する撹拌装置と、
前記撹拌装置を回転させるように構成されたモータと
を含む自己撹拌調理組立体。
【請求項２３】
前記撹拌装置は、前記バーが前記容器の前記底面と接触するのを回避するために前記バーに設けられた間隔保持部材を有する、請求項２２に記載の自己撹拌調理組立体。
【請求項２４】
前記バーは第１の直径を有し、かつ前記間隔保持部材は、前記第１の直径よりも大きい第２の直径を有する、請求項２２に記載の自己撹拌調理組立体。
【請求項２５】
前記モータを制御するためのモータ制御部を有する基部であって、前記モータが前記基部に設けられている基部と、
前記基部に結合された加熱素子と
をさらに含む、請求項２２に記載の自己撹拌調理組立体。
【発明の詳細な説明】
【技術分野】
【０００１】
発明の分野
本発明は、一般に自己撹拌・加熱・調理組立体に関し、より詳細には交換可能な撹拌装置を有する自己撹拌・加熱・調理組立体に関する。
【背景技術】
【０００２】
関連技術の説明
容器（例えば、鍋かま類）を使用して、従来の電気またはガスレンジ上で食物を加熱および／または調理することができる。レンジの上に容器を置いた後、使用者は一般にレンジをつけ、容器内に食物を入れて、レンジの側に立って繰り返し食物を撹拌する。使用者は、容器内の食物を繰り返し撹拌する必要があり、そうしなければ、食物は焦げるかまたは調理されすぎるかもしれない。食物を繰り返し撹拌しなければならないことは負担であり、面倒である。さらに、食物をゆっくり調理する必要がある場合には、使用者は、食物の側で数時間待つ必要があるかもしれない。
【０００３】
上述した欠点を克服するために、容器内の食物を攪拌するための自動撹拌装置が数種類開発されている。例えば、ターロウ（Ｔａｒｌｏｗ）に発行された米国特許第５，０１３，１５８号明細書では、カバーを有する容器内に配置された自己撹拌組立体が開示されている。自己撹拌組立体は容器のカバーに装着され、かつ容器の底部に沿って移動するアームを有する。ラベル（ＬａＶｅｌｌｅ）に発行された米国特許第５，６１７，７７４号明細書では、自己撹拌調理装置に接続された取っ手を有する容器が開示されている。自己撹拌調理装置は、通常羽根が取り付けられた垂直軸を含む。羽根は容器の底面に沿って回転する。
【０００４】
さらに、ウォーターワース（Ｗａｔｅｒｗｏｒｔｈ）に発行された米国特許第６，０２６，７３５号明細書では、調理容器を有する自己撹拌調理組立体が開示されている。調理容器内には撹拌アームがあり、撹拌アームは、調理容器の底面にすぐ近接して配置された水平の羽根部材を有する。水平羽根部材の各端部から垂直に出ているのは、細長の、ほぼ楔形のパドルであり、パドルは、調理容器の側壁に沿って上方へ延在する。
【発明の開示】
【発明が解決しようとする課題】
【０００５】
上述の自動撹拌装置は、食物を撹拌するという、基本的な機能および目的を提供するが、いくつかの欠点を有する。例えば、自動撹拌装置は、食物が詰まったりもしくは食物によって停止したりした場合に、または食物をより良く撹拌するために定期的に、方向の切換えができない。さらに、自動撹拌装置には、異なる種類の食物を撹拌するための交換可能な撹拌部材がなく、かつ撹拌部材は、深鍋の底面および側面をこすらない。さらに、撹拌装置は、ある特定の食物を加熱および撹拌するために特に設計されているわけではない。
【課題を解決するための手段】
【０００６】
発明の概要
特に、および一例としてのみ、本発明の一実施形態は、底面および底面から上へ延在する側面によって輪郭が定められる容器と、容器に熱を提供するための加熱素子と、容器の底面に沿って回転するように設けられた、非矩形断面を有するアームを有する撹拌装置と、撹拌装置を回転させるように構成されたモータとを含む自己撹拌調理組立体を含む。自己撹拌調理組立体は、モータを制御するためのモータ制御部を有する基部を有してもよい。ここでモータは、基部に設けられている。自己撹拌調理組立体はまた、基部に結合または容器内に設けられた加熱素子を有してもよい。例えば、加熱素子を撹拌装置内またはその内部に位置決めしてもよい。
【０００７】
本発明の一実施形態は、基部と、底面を有し、かつ基部の上に設けられるように構成された容器と、底面の近傍に設けられたボウルと、ボウル内で回転するように設けられたパドルとを含む自己撹拌調理組立体を含む。自己撹拌調理組立体は、基部に結合または容器内に設けられた加熱素子を有してもよい。例えば、加熱素子を基部の頂部に沿って位置決めしてもよい。
【０００８】
本発明の一実施形態は、底面および底面から上へ延在する側面によって輪郭が定められる容器と、容器の底面に沿って回転するように設けられたバーを有する撹拌装置と、撹拌装置を回転させるように構成されたモータとを含む自己撹拌調理組立体を含む。撹拌装置は、バーに接続された間隔保持部材を有してもよい。バーは第１の直径を有し、かつ間隔保持部材は、第１の直径よりも大きい第２の直径を有してもよい。自己撹拌調理組立体は、基部に結合または容器内に設けられた加熱素子を有してもよい。例えば、加熱素子を基部の頂部に沿って設けてもよい。
【０００９】
本発明の実施形態の、これらのおよび他の特徴および利点は、本発明の原理を一例として説明する添付の図面と併せて以下の詳細な説明から明らかになる。
【発明を実施するための最良の形態】
【００１０】
好ましい実施形態の詳細な説明
本発明の様々な特徴の実施形態を実行する装置および方法を、以下図面を参照して説明する。図面および関連する説明は、本発明の範囲を限定するためではなく、本発明の実施形態を例示するために提供される。明細書における「一実施形態」または「ある実施形態」への言及は、その実施形態に関連して説明された特定の機能、構造、または特徴が本発明の少なくともある実施形態に含まれることを示すものである。明細書の様々な箇所における語句「一実施形態においては」の使用は、全て同一の実施形態に言及する必要はない。図面全体を通して、対応する参照要素を示すために参照符号を再使用する。さらに、各参照符号の最初の数字は、その要素が初めに現れる図を示す。
【００１１】
以下詳細に図面を参照する。図１は、基部１０５と、基部１０５の上に設けられた容器１１０（例えば、深鍋または平鍋）とを有する自己撹拌調理組立体１００の斜視図である。基部１０５は、タイマ制御部１１５と、温度制御部１２０と、速度／方向制御部１２５とを有する。容器１１０は、底面１３０と、底面１３０から上へ延在する円筒形側面１３５とを有する。基部１０５および容器１１０は、アルミニウムやステンレス鋼などの金属材料製でもよい。容器１１０を、調理する食物の量および種類に応じて、多様な形状およびサイズに構成することができる。容器１１０の上には蓋１４０を置いて、容器１１０内に熱および蒸気を封じ込めるようにしてもよい。蓋１４０は、ガラスやプラスチックなどの中の見える材料で作製でき、多数の異なる容器１１０と一緒に使用できる。
【００１２】
図２は、図１の基部１０５の斜視図である。ここでは容器１１０を取り外して、加熱素子２００、コネクタ２０５、リング２１０および開口部２１５などの、基部１０５の構成要素を示した。加熱素子２００は、低温（例えば、１５０°Ｆ）から高温（例えば、４１０°Ｆ）までの可変の熱設定を有する温度制御部１２０により制御される。図示の実施形態においては、加熱素子２００はプレート状に形成され、アルミニウム材料製である。コネクタ２０５を使用して、基部１０５にあるモータ（図示せず）を、容器１１０内で回転する撹拌装置へ取り付ける。一実施形態においては、コネクタ２０５は撹拌装置に熱を提供できる。例えば、撹拌装置内にまたはそれに近接して加熱素子を配置して、容器１１０内にある食物を加熱することができる。
【００１３】
基部１０５は、コネクタ２０５から独立していてもまたはその一部でもよい安全機構を含む。安全機構は、容器１１０が基部１０５に取り付けられていないときに、加熱素子２００が熱を生成したりまたは基部１０５にあるモータが撹拌装置を回転させたりするのを妨げる。従って、容器１１０が基部１０５から取り外されているときには、安全機構により、使用者が加熱素子２００によって火傷を負ったりまたは撹拌装置によって負傷したりするのを防ぐことができる。一実施形態においては、基部１０５は、撹拌装置を回転させるのに使用される１つ以上の磁石を含むことができる。例えば、撹拌装置は、基部１０５に配置された磁石に反発する磁石をアームに含むことができる。基部１０５にある磁石を静止させることができ、または回転させて、容器１１０内において撹拌装置またはパドルを回転させることができる。磁石は、モータに追加することも、またはその代わりとすることもできる。
【００１４】
コネクタ２０５は、基部１０５にある加熱素子２００の下に設けられたモータに取り付けられる。一実施形態においては、モータは、加熱素子２００の下の中心に設けられる。モータを使用してコネクタ２０５を回転させ、コネクタは次に撹拌装置を回転させる。一実施形態においては、モータは、時計回りまたは反時計回り方向に約３〜６毎分回転数（ｒｐｍ）で撹拌装置を回転させる。モータは数時間の連続運転を提供できる。速度／方向制御部１２５は、多数の異なる方法で撹拌装置を回転させるようにモータを設定できる。下記の表Ｉは、いくつかの例示的なモータの速度および方向の制御設定を示す。
【００１５】
【表１】
2008534215.tif 000003
【００１６】
一実施形態においては、基部１０５はモータおよびコネクタ２０５を含まず、代わりにモータは撹拌装置のハブ内に設置される。
【００１７】
リング２１０を使用して加熱素子２００を適所に保持し、かつ開口部２１５を使用して容器１１０を基部１０５に固定する。すなわち、一実施形態においては、容器１１０には、開口部２１５に摺動可能に取り付けるための底部クリップがある。
【００１８】
図３は、容器３００の斜視図である。ここでは、その蓋１４０を取り外して容器３００の内部を示した。容器３００は、底面３０５と、底面３０５から突出する中心支持部３１０と、中心支持部３１０を通って突出するピン３１５とを有する。中心支持部３１０を容器３００の底面３０５に固定させる。ピン３１５は、容器３００が基部１０５および撹拌装置に取り付けられると、コネクタ２０５に接続するように設置及び設計される。モータがコネクタ２０５を回転させると、ピン３１５はコネクタ２０５と同速で回転する。中心支持部３１０はピン３１５と共に回転せず、ピン３１５の回転を支持する働きをする。さらに、中心支持部３１０は底面３０５よりも上方へ突出して撹拌装置を支持し、かつ容器３００内の食物が、中心支持部３１０とピン３１５との界面に入らないようにする。
【００１９】
図４Ａは、中心支持部３１０およびピン３１５に取り外し可能に取付可能である撹拌装置４００の斜視図である。撹拌装置４００は、握持可能部分４１０を有するハブ４０５と、左右のアーム４１５および４２０と、左右の縦部材４２５および４３０と、左右の角度をなした部材４３５および４４０とを含んでもよい。一実施形態においては、撹拌装置４００は、左アーム４１５と、左縦部材４２５と、左の角度をなした部材４３５とを含む。ハブ４０５は、中心支持部３１０およびピン３１５に上方から嵌合し、かつピン３１５に結合する内部コネクタを有する。一実施形態においては、モータをハブ４０５の内部に設けることができる。モータおよびハブ４０５の構成に依存して、中心支持部３１０とピン３１５はオプションであってもよい。例えば、モータがハブ４０５の内部に設けられる場合にはピン３１５を取り外してもよい。なぜなら、ピン３１５がコネクタ２０５に結合される必要がないかもしれないからである。
【００２０】
ハブ４０５を中心支持部３１０の上に置いて、ハブ４０５を底面３０５の方へ押し下げることによって、撹拌装置４００をピン３１５に取り付けることができる。握持可能部分４１０を押してハブ４０５を底面３０５から持ち上げることによって、撹拌装置４００をピン３１５から取り外すことができる。一実施形態においては、撹拌装置４００は、容器３００の底面１３０または円筒形側面１３５にかき傷をつけない硬質プラスチック、シリコンまたはゴム材料でできている。一実施形態においては、撹拌装置４００は、硬質プラスチック、シリコンまたはゴム材料で被覆された内部金属枠を有する。
【００２１】
左右のアーム４１５および４２０は、ハブ４０５から容器１１０の円筒形側面１３５の方へ水平方向に延在する。左右のアーム４１５および４２０は、底面１３０の近傍に設けられ、時計回りまたは反時計回り方向に回転する。一実施形態においては、左右のアーム４１５および４２０は、容器３００の底面３０５をこする。左右のアーム４１５および４２０は、非矩形断面を有してもよい。例えば、断面形状は、食物を左右のアーム４１５および４２０上に持ち上げることができるようにする、三角形（図４Ｂ）、傾斜のある三角形状（図４Ｃ）、釣鐘状（図４Ｄ）、湾曲したすべり台状（図４Ｅ）、または他の傾斜または湾曲形状であることができる。一実施形態においては、左右のアーム４１５および４２０は、基部が約１ｃｍ、高さが約１ｃｍである。これらの種々の形状によって、容器３００の底面３０５に位置する食物をより良く混合および撹拌することができる。種々の実施形態においては、撹拌装置４００はアームを１つのみ（例えば、左アーム４１５）、またはアームを２つ以上有することができる。例えば、撹拌装置４００は、アームを互いに同距離だけ離間して３つまたは４つ有することができる。追加的なアームは、容器３００内の食物をさらに混合および撹拌してもよい。
【００２２】
左右の縦部材４２５および４３０は、それぞれ左右のアーム４１５および４２０の端部から上方へ延在する。種々の実施形態においては、左右の縦部材４２５および４３０は、上述した種々の形状を有して、円筒形側面１３５に位置する食物を左右の縦部材４２５および４３０上に持ち上げることができるようにする。左右の縦部材４２５および４３０を、円筒形側面１３５の近傍に設けられる。一実施形態においては、左右の縦部材４２５および４３０は容器１１０の円筒形側面１３５をこする。種々の実施形態においては、撹拌装置４００は、縦部材を１つのみ（例えば、左縦部材４２５）、またはアームから延在する縦部材を２つ以上有することができる。例えば、撹拌装置４００は、アームから延在する３つまたは４つの縦部材を有することができる。追加的な縦部材は、容器３００内の食物をさらに混合および撹拌してもよい。
【００２３】
左右の角度をなした部材４３５および４４０は、上述した種々の形状を有して、それぞれ左右の縦部材４２５および４３０から内側へ延在することができる。左右の角度をなした部材４３５および４４０の角度は、撹拌される食物の種類に依存して変わり得る。角度は好ましくは約１〜１７９度であり、一層好ましくは約２５〜１５５度であり、および最も好ましくは約４５度である（図４Ａに示す）。角度は、左右の縦部材４２５および４３０によって画定された垂直軸から測定される。左右の角度をなした部材４３５および４４０は、容器３００の中心に向かって内側へ延在して、左右のアーム４１５および４２０の上に位置する食物が混合または撹拌されるようにする。左右の角度をなした部材４３５および４４０は、左右の角度をなした部材４３５および４４０の端部がハブ４０５の近傍またはその上に設けられるように容器３００の中心へ延在できる。種々の実施形態においては、撹拌装置４００は、角度をなした部材を１つのみ（例えば、左の角度をなした部材４３５）、または角度をなした部材を２つ以上有することができる。例えば、撹拌装置４００は、角度をなした部材を互いに同距離だけ離間して３つまたは４つ有することができる。追加的な角度をなした部材は、容器３００内の食物をさらに混合および撹拌してもよい。
【００２４】
撹拌装置４００は、左アーム４１５に第１および第２の突起物４４５および４５０、ならびに右アーム４２０に第３および第４の突起物４５５および４６０をさらに含んでもよい。突起物は、撹拌装置４００の任意の構成要素である。一実施形態においては、突起物はそれぞれ三角形状である。一実施形態においては、左右のアーム４１５および４２０は、第１の高さＨ１（例えば、１ｃｍ）を有し、かつ突起物は、第１の高さＨ１よりも大きい第２の高さＨ２（例えば、２ｃｍ）を有する（図５参照）。一実施形態においては、各突起物は、食物の混合および撹拌をより良くする為に、高さが異なることもできる。撹拌装置４００は、食物をより良く混合および撹拌するために設計および構成された突起物を任意の数（例えば、１、２、３、等）含んでもよい。
【００２５】
図５は、互い違いの構成を有する突起物を示す、図４の撹拌装置４００の正面図である。一実施形態においては、突起物は、左右のアーム４１５および４２０に沿って互い違いとなっている（すなわち、ハブ４０５から同距離に置かれた突起物がない）。例えば、第１の突起物４４５はハブ４０５からＡｃｍに設けられ、第２の突起物４５０はハブ４０５からＢｃｍに設けられ、第３の突起物４５５はハブ４０５からＣｃｍに設けられ、第４の突起物４６０はハブ４０５からＤｃｍに設けられてよく、ここでＡ、Ｂ、ＣおよびＤの距離すなわち長さは異なる。突起物を互い違いにすることによって、食物をより良く混合、撹拌および移動することができる。
【００２６】
図６は、中心支持部３１０およびピン３１５に取り外し可能に取付可能である撹拌装置６００の斜視図である。撹拌装置６００は、握持可能部分４１０を有するハブ４０５と、左右のアーム４１５および４２０と、左右の縦部材４２５および４３０と、左右の角度をなした部材４３５および４４０と、左右の内部パドル６０５および６１０とを含む。左右の内部パドル６０５および６１０はハブ４０５に接続されており、かつ左右のアーム４１５および４２０を通る垂直面に対して傾いていてもよい。一実施形態においては、左右の縦部材４２５および４３０は、左右の内部パドル６０５および６１０と同じ方向に回転する。一実施形態においては、左右の縦部材４２５および４３０は、左右の内部パドル６０５および６１０とは反対方向に回転する。例えば、左右の縦部材４２５および４３０は時計回り方向に回転し、左右の内部パドル６０５および６１０は反時計回り方向に回転する。反対方向に回転させるために、ハブ４０５は歯車アセンブリを含んでもよい。左右の内部パドル６０５および６１０は、食物を撹拌するために平らな前面と後面を有してもよい。撹拌装置６００を使用して、豆、肉、パスタ、ソース、スープおよび野菜などの食物を撹拌してもよい。
【００２７】
図７は、左右の内部パドル６０５および６１０を示す、図６の撹拌装置６００の正面図である。一実施形態においては、左右の内部パドル６０５および６１０は、約７．０ｃｍの高さＨおよび約３．５ｃｍの幅Ｗを有する。左右の内部パドル６０５および６１０は、撹拌される食物の種類ならびに容器１１０のサイズおよび寸法に依存した大きさおよび構成にされてもよい。高さＨは一般に容器３００の高さ未満である。
【００２８】
図８は、ポップコーンを調理するまたは作る、ナッツまたはコーヒー豆をいる、そうでなければ食物を混合するために使用することができる撹拌装置８００の正面図である。撹拌装置８００は、ハブ４０５に接続されたバー８０５と、バー８０５またはバー８０５の端部に接続された間隔保持部材８１０（オプション）とを含んでもよい。バー８０５は、ケーブル、ワイヤ、シャフト、スティックまたはロッドでもよく、間隔保持部材８１０は、球、四角またはスペーサであってもよい。一実施形態においては、バー８０５の直径は約３ミリメートル（ｍｍ）であり、間隔保持部材８１０の直径は約６ｍｍである。バー８０５および間隔保持部材８１０は、プラスチック、シリコンまたはゴム材料で被覆された金属材料製（例えば、アルミニウムまたは鋼）であることができる。間隔保持部材８１０によって、バー８０５を容器３００の底面３０５のわずか上に接触することなく設けることができる。例えばポップコーンを作るときには、バー８０５は、底面３０５にひかれたいずれかの油の上側を移動するが、ポップコーンの粒を動かし回転させる。それゆえ、ポップコーンの粒を底面３０５にある油の中で調理し、かつその中で回転させることができる。間隔保持部材８１０を使用して、バー８０５を底面３０５から離間する。それゆえ、間隔保持部材８１０の直径は、バー８０５の直径よりも大きい。
【００２９】
図９および１０は、基部１０５と、基部１０５の上に設けられた容器３００と、容器３００に嵌合するボウル９０５と、ボウル９０５内に嵌まるパドル９１０とを有する自己撹拌調理組立体９００の斜視図および正面図である。ボウル９０５の基部には開口部９１５があり、ピン３１５をそこに通してパドル９１０に接続させる。カバー９２０を使用してボウル９０５を取り囲み、容器３００を包み、容器３００内部で形成されるいかなる蒸気または熱も封じ込めるようにする。カバー９２０を、容器３００の底面３０５の上かつ容器３００の縁９２５の円周に取り付けるかまたは接続するように置いてもよい。カバー９２０を、透明な、中身の見えるプラスチックまたはガラス材料で作製してもよい。
【００３０】
ボウル９０５を使用して、底面３０５に直接接触せずに液体や食物を加熱できる。例えば、チョコレートなどの一部の食物の準備には、間接的に加熱される方が良い。間接的な加熱を提供する一法は、容器３００に水９２５を用意し、水９２５を加熱して熱と蒸気をボウル９０５にもたらすことである。ボウル９０５が加熱されると、その内容物も加熱される。
【００３１】
ボウル９０５内に設けられるパドル９１０は、ボウル９０５の形状に構成されてもよい。例えば、ボウル９０５とパドル９１０を半円形状に構成してもよい。ボウル９０５とパドル９１０との間に間隙９３０を設けて、流体または食物がその間を通過できるように、ボウル９０５とパドル９１０を構成してもよい。一実施形態においては、間隙９２０は約１ｃｍである。
【００３２】
本発明の例示的な実施形態を示し、説明してきたが、上述したものに加えて多くの他の変更、組み合わせ、省略、修正および代替が、本発明の趣旨および範囲を逸脱する必要なく当業者によってなされるであろう。従って、本発明は好ましい実施形態によって限定されるものではないが、添付の特許請求の範囲を参照して規定される。
【図面の簡単な説明】
【００３３】
【図１】本発明の一実施形態による、基部と、基部の上に設けられた容器とを有する自己撹拌調理組立体の斜視図である。
【図２】容器を取り外して、加熱素子、コネクタ、リングおよび開口部などの、基部の構成要素を示した、本発明の一実施形態による図１の基部の斜視図である。
【図３】容器の蓋を取り外して容器の内部を示した、本発明の一実施形態による容器の斜視図である。
【図４Ａ】本発明の一実施形態による、中心支持部およびピンに取り外し可能に取付可能である撹拌装置の斜視図である。
【図４Ｂ−４Ｅ】本発明の種々の実施形態による、種々の撹拌装置の異なる形状の断面図である。
【図５】本発明の一実施形態による、互い違いの構成である突起物を示す図４の撹拌装置の正面図である。
【図６】本発明の一実施形態による、中心支持部およびピンに取り外し可能に取付可能である撹拌装置の斜視図である。
【図７】本発明の一実施形態による、左右の内部パドルを示す図６の撹拌装置の正面図である。
【図８】本発明の一実施形態による、ポップコーンを調理するまたは作るために使用できる撹拌装置の正面図である。
【図９】本発明の一実施形態による、基部と、基部の上に設けられた容器と、容器に嵌合するボウルと、ボウル内に嵌まるパドルとを有する自己撹拌調理組立体の斜視図である。
【図１０】本発明の一実施形態による、図９の自己撹拌調理組立体の正面図である。
【図１】
2008534215.tif 000004
【図２】
2008534215.tif 000005
【図３】
2008534215.tif 000006
【図４Ａ】
2008534215.tif 000007
【図４Ｂ】
2008534215.tif 000008
【図４Ｃ】
2008534215.tif 000009
【図４Ｄ】
2008534215.tif 000010
【図４Ｅ】
2008534215.tif 000011
【図５】
2008534215.tif 000012
【図６】
2008534215.tif 000013
【図７】
2008534215.tif 000014
【図８】
2008534215.tif 000015
【図９】
2008534215.tif 000016
【図１０】
2008534215.tif 000017
【国際調査報告】
2008534215.tif 000018